(57)【要約】【課題】  光ピックアップをディスク内周側及び外周側の所定の位置に順次位置させて、副軸の一端及び他端の高さを調整する際、調整を繰り返す必要をなくし、調整に要する時間を短縮すること。【解決手段】  光ピックアップ２を半径方向に案内するため、主軸３１及び副軸２２が設けられている。副軸２２のベース１に対する傾きを調整するための調整保持部２１は、第１の支持点（支持部１ｎ）、第２の支持点（調整ねじ２３）及び第３の支持点（調整ねじ２４）によりベースに固定されている。光ピックアップ２が光ディスクの内周側端部に位置しているときには、第１の支持点と第２の支持点とを結ぶ直線上に光ピックアップ２の軸受部２ｃが位置する。光ピックアップ２が光ディスクの外周側端部に位置しているときには、第１の支持点と第３の支持点とを結ぶ直線上に光ピックアップ２の軸受部２ｃが位置する。【選択図】        図４
2007073146.tif 000002
【特許請求の範囲】
【請求項１】
ベースと、
前記ベースに取り付けられ、光ディスクを回転させるディスク回転駆動機構と、
前記ディスク回転駆動機構により回転する光ディスクに対して光ビームを照射するための光学系を搭載し、さらに軸受部を備えた光ピックアップと、
前記光ピックアップの前記軸受部に係合し、前記光ピックアップを半径方向に移動可能に案内する案内軸と、
前記案内軸を前記ベースに対して傾き調整可能に保持する調整保持部と
を備え、
前記調整保持部は、第１、第２及び第３の支持点により前記ベースに固定され、
前記第２及び第３の支持点は、前記光ディスクの回転軸の方向に高さ調整可能であり、
前記光ピックアップが前記光ディスクの内周側の第１の位置に位置しているときには、前記第１の支持点と前記第２の支持点とを結ぶ直線上に前記光ピックアップの前記軸受部が位置し、
前記光ピックアップが前記光ディスクの外周側の第２の位置に位置しているときには、前記第１の支持点と前記第３の支持点とを結ぶ直線上に前記光ピックアップの前記軸受部が位置すること
を特徴とする光ディスク装置。
【請求項２】
前記光ディスクの内周側の第１の位置は、前記光ピックアップの再生時の可動範囲における前記光ディスクの内周側の端部であり、
前記光ディスクの外周側の第２の位置は、前記光ピックアップの再生時の可動範囲における前記光ディスクの外周側の端部であることを特徴とする請求項１に記載の光ディスク装置。
【請求項３】
前記第２の支持点及び前記第３の支持点は、いずれも、
前記光ディスクの回転軸の方向に前記調整保持部を貫通するねじ部と、前記調整保持部の前記ベースと反対側に当接する頭部とを有する調整ねじと、
前記調整ねじが螺合するよう前記ベースに形成された雌ねじ部と
により構成されていることを特徴とする請求項１又は２に記載の光ディスク装置。
【請求項４】
前記第１の支持点は、
前記調整保持部に形成され、前記光ピックアップの回転軸に直交する方向に延在する板状片と、
前記ベースに形成され、前記調整保持部の板状片に当接する突起部と
により構成されていることを特徴とする請求項１から３までのいずれか１項に記載の光ディスク装置。
【請求項５】
前記案内軸は、前記調整保持部と一体に構成されていることを特徴とする請求項１から４までのいずれか１項に記載の光ディスク装置。
【請求項６】
前記案内軸は、その軸方向に直交する断面が略円弧状の凸形状であることを特徴とする請求項５に記載の光ディスク装置。
【請求項７】
前記調整保持部は、前記ベースに対する前記調整保持部の取付け位置を規制する取付け位置決め部を有することを特徴とする請求項１から６までのいずれか１項に記載の光ディスク装置。
【請求項８】
請求項２に記載の光ディスク装置の調整方法であって、
前記光ピックアップを前記第１の位置に位置させ、前記光ピックアップによる再生信号をモニタしながら、前記案内軸の一端の高さを調整する工程と、
前記光ピックアップを前記第２の位置に位置させ、前記光ピックアップによる再生信号をモニタしながら、前記案内軸の他端の高さを調整する工程と
を含むことを特徴とする光ディスク装置の調整方法。
【発明の詳細な説明】
【技術分野】
【０００１】
本発明は、光ディスク装置に関し、より詳細には、光ディスクの信号記録面に対して光ピックアップの傾角を調整する傾角調整機構を備えた光ディスク装置及びその調整方法に関する。
【背景技術】
【０００２】
光ディスク装置では、光ピックアップの出射光軸の方向が光ディスクの信号記録面に対して傾斜していると、収差が発生して正確な情報信号の記録や再生を行うことができなくなる。そこで、光ディスク装置には、光ディスクの信号記録面に対し、光ピックアップの傾角（すなわち出射光軸の方向）を調整する機構が設けられている。
【０００３】
光ピックアップの傾角調整として、光ディスクの半径方向の傾き調整と、光ディスクの接線方向の傾き調整とが行われる。光ディスクの半径方向の傾き調整は、光ディスクを回転させるスピンドルモータの傾きを光ディスクの半径方向に調整し、あるいは、光ディスクを案内する主軸の傾きを調整することにより行われる。また、光ディスクの接線方向の傾き調整は、光ディスクの半径方向の傾き調整が完了した後に、スピンドルモータの傾きを光ディスクの接線方向に調整し、あるいは、光ディスクを案内する副軸（主軸と平行に設けられた案内軸）の傾きを調整することにより行われる。
【０００４】
上述した副軸の傾き調整は、副軸の両端の高さを調整ねじ等で調整することにより行われるが、具体的には、以下のような方法が知られている。第１の方法は、まず副軸の一端の高さを調整して副軸と主軸とを平行にし、その後、光ディスク装置を再生状態とし、再生信号をモニタしながら、副軸の両端の高さをそれぞれ同量だけ変化させて主軸と副軸とを同じ高さにするものである。
【０００５】
しかしながら、この第１の方法では、副軸を主軸と平行にする第１ステージと、副軸の高さを主軸と同じにする第２ステージとの２段階の調整が必要となる。また、副軸の両端の高さを同量だけ変化させる調整は難しく、専用の治具を用いなければならない。
【０００６】
そこで、以下の第２の方法が提案されている。この第２の方法は、まず光ディスク装置を再生状態とし、光ピックアップをディスク内周側の端部に位置させ、再生信号をモニタしながら、副軸の一端（光ピックアップに近い側の端部）の高さを調整し、その後、光ピックアップをディスク外周側の端部に移動して、再生信号をモニタしながら、副軸の他端の高さを調整するものである（例えば、特許文献１，２参照）。
【０００７】
【特許文献１】特許第３４２８８３２号公報（第４−５頁、図５）
【特許文献２】特開２００２−１００１３１号公報（第２−３頁、図１）
【発明の開示】
【発明が解決しようとする課題】
【０００８】
しかしながら、上述した第２の方法では、副軸の一端の高さを調整する際に、支点となる副軸の他端を除く部分の高さが全て変化することになる。そのため、光ピックアップをディスク内周側の端部に位置させて副軸の一端の高さを調整したのち、光ピックアップをディスク外周側の端部に移動して副軸の他端の高さを調整する際に、先の調整で光ピックアップが位置していた箇所の副軸の高さも変化してしまい、調整ずれが生じる。そのため、副軸の一端及び他端の高さ調整を繰り返して調整を収束させなければならず、調整に要する時間が長くなるという問題がある。
【０００９】
この発明は、上述のような課題を解消するためになされたもので、光ピックアップをディスク内周側及び外周側の所定の位置に順次位置させて、副軸の一端及び他端の高さを調整する際、調整の繰り返しを不要にし、調整に要する時間を短縮することを目的とする。
【課題を解決するための手段】
【００１０】
この発明に係る光ディスク装置は、ベースと、ベースに取り付けられたディスク回転駆動機構と、ディスク回転駆動機構により回転する光ディスクに対して光ビームを照射するための光学系を搭載し、さらに軸受部を備えた光ピックアップと、光ピックアップの軸受部に係合し、光ピックアップを半径方向に移動可能に案内する案内軸と、案内軸をベースに対して傾き調整可能に保持する調整保持部とを備える。調整保持部は、第１、第２及び第３の支持点によりベースに固定され、第２及び第３の支持点は、光ディスクの回転軸の方向に高さ調整可能である。光ピックアップが光ディスクの内周側の第１の位置に位置しているときには、第１の支持点と第２の支持点とを結ぶ直線上に光ピックアップの軸受部が位置する。光ピックアップが光ディスクの外周側の第２の位置に位置しているときには、第１の支持点と第３の支持点とを結ぶ直線上に光ピックアップの軸受部が位置する。
【発明の効果】
【００１１】
本発明によれば、光ピックアップをディスク内周側の第１の位置に位置させて副軸の一端の高さを調整したのち、光ピックアップをディスク外周側の第２の位置に移動して副軸の他端の高さを調整する際に、先の調整で光ピックアップが位置していた箇所の副軸の高さが変化しない。そのため、調整を繰り返す必要がなく、調整に要する時間を短縮することができる。
【発明を実施するための最良の形態】
【００１２】
実施の形態１．
図１は、本発明の実施の形態１に係る光ディスク装置の内部構成を示す平面図である。図２は、実施の形態１に係る光ディスク装置の分解斜視図である。図３は、実施の形態１に係る光ディスク装置の傾角調整機構を示す分解斜視図である。図４は、実施の形態１に係る光ディスク装置の内部構成を示す底面図である。図５は、実施の形態１に係る光ディスク装置の内部構成を斜め上方から見た斜視図である。図６は、実施の形態１に係る光ディスク装置の内部構成を斜め下方から見た斜視図である。
【００１３】
図１に示すように、光ディスク装置は、基体としてのベース１を有している。ベース１には、光ディスクを保持して回転させるターンテーブル（ディスク回転駆動機構）４と、ターンテーブル４により回転する光ディスクに対して信号の記録、再生又はその両方を行う光ピックアップ２とが設けられている。光ピックアップ２は、以下で詳細に説明するように、ターンテーブル４に保持された光ディスクの半径方向に移動する。
【００１４】
ここでは、ベース１が水平面（ＸＹ平面）上に置かれているものとして説明する。ターンテーブル４の回転軸の方向は、鉛直方向（Ｚ方向）とする。このＺ方向において、光ピックアップ２（図２）から光ディスクに向かう方向を＋Ｚ方向とし、その反対方向を−Ｚ方向とする。また、光ピックアップ２の移動方向（ディスク半径方向）を、Ｙ方向とする。光ピックアップ２の移動範囲において、ターンテーブル４から離れる方向を＋Ｙ方向とし、ターンテーブル４に近づく方向を−Ｙ方向とする。Ｙ方向及びＺ方向に直交する方向をＸ方向とする。
【００１５】
図２に示すように、ターンテーブル４を駆動するためのディスクモータ５は、ターンテーブル４のボス部４ａに圧入されるＺ方向の回転軸５ａを有している。ディスクモータ５が駆動されると、回転軸５ａと共にターンテーブル４が一体的に回転する。ディスクモータ５は、止めねじ６ａ，６ｂ，６ｃにより、ベース１に形成されたディスクモータ取り付け部１ａに固定される。また、ディスクモータ５の端子部５ｂ，５ｃは、基板４１に設けられた端子穴４１ａ，４１ｂに係合して半田付けされ、これにより基板４１からディスクモータ５に電流が供給される。基板４１には、この他に光ピックアップ２のディスク半径方向の位置を検出する検知スイッチ４３が実装されている。
【００１６】
ベース１上には、光ピックアップ２をＹ方向に案内する主軸３１及び副軸２２が取り付けられている。主軸３１及び副軸２２は、共にＹ方向に延在し、Ｘ方向に間隔をあけて配置されている。主軸３１の一方の端部３１ａは、ベース１に設けられた主軸保持穴１ｂに係合して固定されている。主軸３１のもう一方の端部３１ｂは、ベース１に設けられたＺ方向のスリット部１ｃに係合し、そのＸ方向の位置が規制されている。
【００１７】
主軸３１の端部３１ｂと当接する位置に、付勢ばね３２が設けられている。付勢ばね３２は、ベース１に設けられたばね保持部１ｄで保持され、主軸３１の端部３１ｂを−Ｚ方向に付勢している。皿ねじ３３は、ベース１のばね保持部１ｄの近傍に設けられた雌ねじ部１ｅと螺合し、そのねじ頭のテーパ部３３ａで、主軸３１の端部３１ｂの−Ｚ方向の変位を規制する。皿ねじ３３を回転操作することにより、主軸３１の端部３１ｂの高さを可変し、主軸３１の傾角を調整することができる。
【００１８】
図３に示すように、副軸２２は、調整保持部２１を介してベース１に取り付けられている。調整保持部２１は、例えば、板面がＸＹ面と略平行な板状の部材であって、Ｙ方向に長く形成されている。調整保持部２１は、そのＹ方向両端に、副軸２２の軸方向両端を保持する一対の副軸保持部２１ａ，２１ｂを有している。副軸２２の両端は、これら副軸保持部２１ａ，２１ｂに、例えば圧入又は接着などにより固定されている。
【００１９】
調整保持部２１の副軸保持部２１ａ，２１ｂの近傍には、ばね位置決めボス２１ｅ，２１ｆが立設されている。ベース１において、調整保持部２１のバネ位置決めボス２１ｅ，２１ｆに対向する位置には、凹部であるばね保持部１ｈ，１ｉが形成されている。調整保持部２１のばね位置決めボス２１ｅ，２１ｆと、ベース１のばね保持部１ｈ，１ｉとにより、付勢ばね２５，２６がそれぞれ挟持されている。この付勢ばね２５，２６は、調整保持部２１を常に−Ｚ方向に付勢している。
【００２０】
調整ねじ２３，２４は、貫通孔２１ｇ，２１ｈを貫通し、ベース１に設けた雌ねじ部１ｊ，１ｋに螺合している。これにより、調整保持部２１のベース１に対するＸ方向及びＹ方向の位置が規制される。
【００２１】
調整保持部２１の側端面（Ｘ方向端面）からは、板状片である当接部２１ｉが更にＸ方向に延在している。ベース１の側壁には、調整保持部２１の当接部２１ｉを貫通させるＹ方向に長いスリット１ｚが形成されている。スリット１ｚの内端面には、当接部２１ｉに当接する支持部１ｎが、＋Ｚ方向に突出している。
【００２２】
調整保持部２１は、上述した付勢ばね２５，２６により−Ｚ方向に付勢されているが、ベース１の支持部１ｎが調整保持部２１の当接部２１ｉに当接し、調整ねじ２３，２４のねじ頭２３ａ，２４ａが調整保持部２１の貫通孔２１ｇ，２１ｈの周囲の部分に当接するため、ベース１に対するＺ方向の位置規制がなされる。
【００２３】
図２に示すように、光ピックアップ２は、対物レンズ等の光学系２０を有する可動体である。光ピックアップ２のＸ方向の一端部には、主軸３１と摺動可能に係合する軸受部２ａ，２ｂが設けられている。また、光ピックアップ２のＸ方向の他端部には、副軸２２に摺動可能に係合する軸受部２ｃが設けられている。
【００２４】
図４に示すように、ベース１には、光ピックアップ２を駆動するためのスレッドモータ１１が設けられている。このスレッドモータ１１が、止めネジ１２ａ，１２ｂ（図２）によりベース１１に固定されている。スレッドモータ１１は、出力軸１１ａを有し、その出力軸１１ａにはウォームギア１３が圧入により固定されている。ベース１には、モータ軸付勢部材１４が取り付けられている。モータ軸付勢部材１４は、ウォームギア１３の先端部１３ａと当接する付勢部１４ａを有しており、これによりシャフト部１１ａをその軸方向に付勢している。
【００２５】
ウォームギア１３と係合するように、歯車１６が設けられている。歯車１６は、ベース１にかしめ固定されたギアシャフト１ｍに回転可能に軸支されている。図２に示すように、歯車１６は、互いに同軸に組み合わされた大歯車１６ａ、中歯車１６ｂ及び小歯車１６ｃを有しており、大歯車１６ａがウォームギア１３と係合している。小歯車１６ｃは、光ピックアップ２に設けられたラック３と係合し、スレッドモータ１１の駆動力を光ピックアップ２に伝達する。中歯車１６ｂは、ベース１に回転可能に軸支された歯車１７，１８を介して、スレッドモータ１１の駆動力を光ディスクローディング機構（図示せず）に伝達する。
【００２６】
次に、光ピックアップの傾角調整（すなわち、光ディスクに対する光ピックアップの出射光軸の調整）について、図４〜図７を用いて説明する。
【００２７】
まず、光ディスクの半径方向の傾き調整（すなわち、Ｘ方向に平行な軸線を中心とした傾き調整）を行う。具体的には、ターンテーブル４に光ディスク（図示せず）を搭載し、光ピックアップ２を再生可動範囲のディスク内周側の端部に移動させて、光ディスクの再生を行う。光ピックアップ２が検知する再生信号をモニタしながら、主軸３１の外周側の端部３１ｂの高さを規制する皿ねじ３３（図６）を調整治具で回転させる。再生信号ジッタが適正となる位置で皿ねじ３３を固定することにより、光ピックアップのディスク半径方向の傾きが調整される。
【００２８】
次に、光ディスクの接線方向の傾き調整（すなわち、Ｙ方向に平行な軸線を中心とした傾き調整）を行う。具体的には、以下の第１調整及び第２調整を行う。
【００２９】
第１調整では、光ピックアップ２を再生可動範囲のディスク内周側の端部に移動させ（図４及び図６参照）、光ディスクの再生を行う。光ピックアップ２が検知する再生信号をモニタしながら、調整保持部２１のディスク内周側の調整ねじ２３を調整治具で回転させる。このとき、調整保持部２１は、調整ねじ２４と支持部１ｎとを結ぶ軸線Ａ−Ａ（図４）を中心として回動し、その結果、副軸２２と係合する光ピックアップ２の軸受部２ｃのＺ方向の高さが変化する。再生信号ジッタが適正となる位置で調整ねじ２３を固定することにより、この位置での光ピックアップ２のディスク接線方向の傾き（Ｙ方向に平行な軸線を中心とした傾き）が調整される。
【００３０】
第２調整では、光ピックアップ２を再生可動範囲のディスク外周側の端部に移動させ（図７参照）、光ディスクの再生を行う。光ピックアップ２が検知する再生信号をモニタしながら、調整保持部２１のディスク外周側の調整ねじ２４を調整治具で回転させる。このとき、調整保持部２１は、調整ねじ２３と支持部１ｎとを結ぶ軸線Ｂ−Ｂを中心として回動し、その結果、副軸２２と係合する光ピックアップ２の軸受部２ｃのＺ方向の高さが変化する。再生信号ジッタが適正となる位置で調整ねじ２４を固定することにより、この位置での光ピックアップ２のディスク接線方向の傾き（Ｙ方向に平行な軸線を中心とした傾き）が調整される。
【００３１】
上述した第１調整の際には、光ピックアップ２の軸受部２ｃが軸線Ｂ−Ｂ上にあり（図４）、第２調整ではこの軸線Ｂ−Ｂを中心として副軸２２が揺動する（図７）。従って、第１調整の際に光ピックアップ２が位置していた箇所の副軸２２の高さが、第２調整によって変化することはない。
【００３２】
同様に、第２調整の際には、光ピックアップ２の軸受部２ｃが軸線Ａ−Ａ上にあり（図７）、第１調整ではこの軸線Ａ−Ａを中心として副軸２２が揺動する（図４）。従って、仮に第２調整の後に第１調整を行ったとしても、第２調整の際に光ピックアップ２が位置していた箇所の副軸２２の高さが、第１調整によって変化することはない。
【００３３】
このように、本実施の形態では、光ピックアップ２が再生可動範囲のディスク内周側の端部にあるときには、軸受部２ｃが軸線Ｂ−Ｂ上にあり、光ピックアップ２が再生可動範囲のディスク外周側の端部にあるときには、軸受部２ｃが軸線Ａ−Ａ上にあるため、副軸２２の一端の高さ調整の影響で他端の高さが変化することがない。従って、再調整を繰り返す必要がなく、調整に要する時間を大幅に短縮することができる。
【００３４】
特に、調整保持部２１の雌ねじ部１ｋ，１ｊに調整ねじ２３，２４を螺合させると共に、調整ねじ２３，２４のねじ頭２３ａ，２４ａが調整保持部２１に＋Ｚ方向に当接するようにしたので、比較的簡単な構成で、調整保持部２１の傾きを２方向に調整可能とすることができる。
【００３５】
さらに、調整保持部２１の当接部２１ｉ（板状片）を、ベース１に設けた支持部１ｎ（突起部）により支持するようにしたので、支持部１ｎを支点として調整保持部２１の傾きを複数方向に変化させることが可能になる。
【００３６】
実施の形態２．
図８は、本発明の実施の形態２に係る光ディスク装置の内部構成を示す斜視図である。図９は、実施の形態２に係る光ディスク装置の傾角調整機構を示す斜視図である。図８に示すように、本実施の形態では、板状の調整保持部２１のＸ方向端部（図８に符号２２ａで示す）が、実施の形態１で説明した副軸２２として機能するようになっている。
【００３７】
図９に示すように、調整保持部２１のＹ方向両端には、突起状の位置決め部（取付け位置決め部）２１ｊ，２１ｋが＋Ｚ方向に突出形成されている。この位置決め部２１ｊ，２１ｋは、ベース１に形成された位置決め穴１ｆ，１ｇと係合し、これにより調整保持部２１のベース１に対するＸ方向及びＹ方向の位置決めがなされる。また付勢ばね２５，２６は、ベース１に設けられたばね保持部１ｈ，１ｉと調整保持部２１の平面部２１ｍとによって挟持されており、調整保持部２１を−Ｚ方向に付勢している。
【００３８】
実施の形態１と同様、調整ねじ２３，２４は、貫通孔２１ｇ，２１ｈを挿通し、ベース１に設けた雌ねじ部１ｊ，１ｋに螺合している。実施の形態１と同様、付勢ばね２５，２６により調整保持部２１が−Ｚ方向に付勢され、ベース１に設けられた支持部１ｎが調整保持部２１の当接部２１ｉに当接し、更に調整ねじ２３，２４のねじ頭２３ａ，２４ａが調整保持部２１の貫通孔２１ｇ，２１ｈの周囲に当接することにより、調整保持部２１のベース１に対するＺ方向の位置が規制される。
【００３９】
上述した位置決め部２１ｊ，２１ｋの根元部には、それぞれベース１の位置決め穴１ｆ，１ｇの内径よりも広い幅を有する段付部２１ｎ，２１ｐが設けられている。また、調整保持部２１の当接部２１ｉが挿入されるスリット１ｚには、支持部１ｎと対向するように、受け部１ｐが−Ｚ方向に突出形成されている。受け部１ｐ及び支持部１ｎと調整保持部２１との間には、調整保持部２１をベース１に組み付ける際に必要なクリアランスが設けられている。段付部２１ｎ，２１ｐと位置決め穴１ｆ，１ｇとの当接、及び当接部２１ｉと受け部１ｐとの当接により、調整保持部２１がベース１に対して＋Ｚ方向に変位した際の位置規制がなされる。他の構成は、実施の形態１と同様である。
【００４０】
本実施の形態では、光ディスクに対する接線方向の傾き調整は、実施の形態１と同様に行われる。すなわち、副軸（調整保持部２１のＸ方向端部２２ａ）の一端の調整によって他端の調整高さが変化することがないため、再調整を繰り返す必要がなく、調整に要する時間を短縮することができる。加えて、本実施の形態では、調整保持部２１の一部（Ｘ方向端部２２ａ）が副軸２２として機能するようにしたので、部品点数を少なくし、製造コストを低減することができる。
【００４１】
また、位置決め部２１ｊ，２１ｋを調整保持部２１と一体に構成し、ベース１に設けられた位置決め穴１ｆ，１ｇと嵌合させることにより、調整保持部２１のベース１に対するＸ方向及びＹ方向の位置決めがなされるので、光ディスク装置の外部からベース１に衝撃力が伝達された場合も調整保持部２１を位置規制することができる。そのため、衝撃等の外乱を受けた場合の調整位置のずれを回避することができ、光ディスク装置の信頼性を向上させることができる。
【００４２】
さらに、段付部２１ｎ，２１ｐと位置決め穴１ｆ，１ｇの当接、及び平面部２１ｍと受け部１ｐとの当接により、調整保持部２１がベース１に対して＋Ｚ方向に変位した際の位置規制がなされるため、光ディスク装置の外部からベース１に衝撃力が伝達されて調整保持部２１が＋Ｚ方向に変位した場合でも、調整保持部２１を３点で位置規制することができる。その結果、調整保持部２１が、外部衝撃による乗り上げやこじれにより元の位置に復帰できないという事態を回避することができ、光ディスク装置の信頼性を更に向上させることができる。
【００４３】
実施の形態３．
図１０は、本発明の実施の形態３に係る光ディスク装置を上方から見た斜視図である。図１１は、本発明の実施の形態３に係る光ディスク装置の傾角調整機構を示す分解斜視図である。図１２は、本発明の実施の形態３に係る光ディスク装置の副軸と光ピックアップとを拡大して示す部分断面図である。
【００４４】
図１０〜図１２に示すように、本実施の形態では、板状の調整保持部２１のＸ方向端面（光ディスク装置の内側に位置する端面）に、ＸＺ断面が円弧状の凸形状を有する突部２１ｑ（図１１，図１２）を形成している。この突部２１ｑは、Ｙ方向に長く形成され、光ピックアップ２の再生可動範囲内において光ピックアップ２の軸受部２ｃに常に当接している。この調整保持部２１の突部２１ｑは、光ピックアップ２を案内する副軸をなしている。他の構成は、実施の形態２と同様である。
【００４５】
本実施の形態では、光ピックアップ２を案内する副軸をなす突部２１ｑが、円弧状断面を有しているため、光ピックアップ２のディスク接線方向（Ｙ方向に平行な軸線を中心とする回動方向）の傾角が変化した場合も、軸受部２ｃが副軸（突部２１ｑ）の曲面に接触する状態が維持される。すなわち、軸受部２ｃと副軸とがエッジで接触することを回避できる。その結果、軸受部２ｃの偏摩耗を抑制することができ、さらに摺動負荷の増大を抑制して光ディスク装置の信頼性を向上させることができる。
【００４６】
また、光ピックアップ２の軸受部２ｃと当接する副軸（突部２１ｑ）のＺ方向高さは、光ピックアップ２のディスク接線方向（Ｙ方向に平行な軸線を中心とする回動方向）の傾角に直接影響を及ぼすため、光ピックアップ２の再生可動範囲における真直精度が要求される。副軸を突部２１ｑで構成することにより、例えば調整保持部２１を板金のプレス成形により製造する場合、突部２１ｑとなる部分に特に圧力が加わるようにプレス成形することで、原材料の板材の平面状態のばらつきを抑制し、部品精度を安定させることが可能となる。
【００４７】
上述した実施の形態１〜３の説明では、「上」、「下」、「左」、「右」などの表現を用いているが、これらは説明の便宜のためのものであって、光ディスク装置の向きを限定するものではない。例えば、説明中の「上」が下向き、あるいは横向きになるように装置を構成することも可能である。
【００４８】
また、上述した実施の形態１〜３の説明では、光ピックアップ２を再生可動範囲の内周側の端部に位置させて第１調整を行ったのち、光ピックアップ２を再生可動範囲の外周側の端部に位置させて第２調整を行うと説明したが、第１調整及び第２調整の順序は逆であってもよい。
【図面の簡単な説明】
【００４９】
【図１】この発明の実施の形態１に係る光ディスク装置の内部構成を示す斜視図である。
【図２】この発明の実施の形態１に係る光ディスク装置を示す分解斜視図である。
【図３】この発明の実施の形態１に係る光ディスク装置の傾角調整機構を示す分解斜視図である。
【図４】この発明の実施の形態１に係る光ディスク装置の内部構成を示す底面図である。
【図５】この発明の実施の形態１に係る光ディスク装置の内部構成を上方から見た斜視図である。
【図６】この発明の実施の形態１に係る光ディスク装置の内部構成を下方から見た斜視図である。
【図７】この発明の実施の形態１に係る光ディスク装置の傾角調整動作を説明するための底面図である。
【図８】この発明の実施の形態２に係る光ディスク装置の内部構成を示す斜視図である。
【図９】この発明の実施の形態２に係る光ディスク装置の傾角調整機構を示す分解斜視図である。
【図１０】この発明の実施の形態３に係る光ディスク装置の内部構成を示す斜視図である。
【図１１】この発明の実施の形態３に係る光ディスク装置の傾角調整機構部の分解斜視図である。
【図１２】この発明の実施の形態３に係る光ディスク装置の光ピックアップと副軸とを拡大して示す断面図である。
【符号の説明】
【００５０】
１  ベース、  １ｎ  支持部、  ２  光ピックアップ、  ２ａ  軸受部、  ２ｂ  軸受部、  ２ｃ  軸受部、  ４  ターンテーブル、  ５  ディスクモータ、  ７  ディスク回転駆動機構、  ２１  調整保持部、  ２２  副軸、  ２３，２４  調整ねじ、  ３１  主軸。
【図１】
2007073146.tif 000003
【図２】
2007073146.tif 000004
【図３】
2007073146.tif 000005
【図４】
2007073146.tif 000006
【図５】
2007073146.tif 000007
【図６】
2007073146.tif 000008
【図７】
2007073146.tif 000009
【図８】
2007073146.tif 000010
【図９】
2007073146.tif 000011
【図１０】
2007073146.tif 000012
【図１１】
2007073146.tif 000013
【図１２】
2007073146.tif 000014
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
ベースと、
前記ベースに取り付けられ、光ディスクを回転させるディスク回転駆動機構と、
前記ディスク回転駆動機構により回転する光ディスクに対して光ビームを照射するための光学系を搭載し、さらに軸受部を備えた光ピックアップと、
前記光ピックアップの前記軸受部に係合し、前記光ピックアップを前記光ディスクの半径方向に案内する主軸及び副軸と、
前記副軸を前記ベースに対して傾き調整可能に保持する調整保持部と
を備え、
前記調整保持部は、第１、第２及び第３の支持点により前記ベースに固定され、
前記第２及び第３の支持点は、前記光ディスクの回転軸の方向に高さ調整可能であり、
前記光ピックアップが前記光ディスクの内周側の第１の位置に位置しているときには、前記第１の支持点と前記第２の支持点とを結ぶ直線上に前記光ピックアップの副軸軸受部が位置し、
前記光ピックアップが前記光ディスクの外周側の第２の位置に位置しているときには、前記第１の支持点と前記第３の支持点とを結ぶ直線上に前記光ピックアップの副軸軸受部が位置すること
を特徴とする光ディスク装置。
【請求項２】
前記光ディスクの内周側の第１の位置は、前記光ピックアップの再生時の可動範囲における前記光ディスクの内周側の端部であり、
前記光ディスクの外周側の第２の位置は、前記光ピックアップの再生時の可動範囲における前記光ディスクの外周側の端部であることを特徴とする請求項１に記載の光ディスク装置。
【請求項３】
前記第２の支持点及び前記第３の支持点は、いずれも、
前記光ディスクの回転軸の方向に前記調整保持部を貫通するねじ部と、前記調整保持部の前記ベースと反対側に当接する頭部とを有する調整ねじと、
前記調整ねじが螺合するよう前記ベースに形成された雌ねじ部と
により構成されていることを特徴とする請求項１又は２に記載の光ディスク装置。  
【請求項４】
前記第１の支持点は、
前記調整保持部に形成され、前記光ディスクの回転軸に直交する方向に延在する板状片と、
前記ベースに形成され、前記調整保持部の板状片に当接する突起部と
により構成されていることを特徴とする請求項１から３までのいずれか１項に記載の光ディスク装置。
【請求項５】
前記副軸は、前記調整保持部と一体に構成されていることを特徴とする請求項１から４までのいずれか１項に記載の光ディスク装置。
【請求項６】
前記副軸は、その軸方向に直交する断面が略円弧状の凸形状であることを特徴とする請求項５に記載の光ディスク装置。
【請求項７】
前記調整保持部は、前記ベースに対する前記調整保持部の取付け位置を規制する取付け位置決め部を有することを特徴とする請求項１から６までのいずれか１項に記載の光ディスク装置。
【請求項８】
請求項２に記載の光ディスク装置の調整方法であって、
前記光ピックアップを前記第１の位置に位置させ、前記光ピックアップによる再生信号をモニタしながら、前記副軸の一端の高さを調整する工程と、
前記光ピックアップを前記第２の位置に位置させ、前記光ピックアップによる再生信号をモニタしながら、前記副軸の他端の高さを調整する工程と
を含むことを特徴とする光ディスク装置の調整方法。
【手続補正２】
【補正対象書類名】明細書
【補正対象項目名】００１０
【補正方法】変更
【補正の内容】
【００１０】
この発明に係る光ディスク装置は、ベースと、ベースに取り付けられたディスク回転駆動機構と、ディスク回転駆動機構により回転する光ディスクに対して光ビームを照射するための光学系を搭載し、さらに軸受部を備えた光ピックアップと、光ピックアップの軸受部に係合し、光ピックアップを半径方向に移動可能に案内する主軸及び副軸と、副軸をベースに対して傾き調整可能に保持する調整保持部とを備える。調整保持部は、第１、第２及び第３の支持点によりベースに固定され、第２及び第３の支持点は、光ディスクの回転軸の方向に高さ調整可能である。光ピックアップが光ディスクの内周側の第１の位置に位置しているときには、第１の支持点と第２の支持点とを結ぶ直線上に光ピックアップの副軸軸受部が位置する。光ピックアップが光ディスクの外周側の第２の位置に位置しているときには、第１の支持点と第３の支持点とを結ぶ直線上に光ピックアップの副軸軸受部が位置する。